(57)【要約】【課題】  比較的安価な構成で除雪作業の労力を軽減することができる歩行型動力運搬車を提供する。【解決手段】  前方側へ傾動可能な荷台部１０を備える歩行型動力運搬車であって、荷台部１０の前部に回転開閉可能に下端側が支持される前面板１１と、荷台部１０を水平状態で保持する水平状態保持手段と、前面板１１を荷台部１０側へ閉じた収納状態で保持する収納状態保持手段と、荷台部１０の水平状態の解除及び前面板１１の収納状態の解除を行う解除手段と、荷台部１０を前方側へ傾動させたダンプ状態で保持するダンプ状態保持手段と、前面板１１を前記収納状態から前方に所定の角度開放させた位置で保持する開放角度保持手段と、前記解除手段により前記収納状態が解除された前面板１１の開閉動作を行う前面板動作手段と、を備える歩行型動力運搬車１。【選択図】図１
2014227665.tif 000002
【特許請求の範囲】
【請求項１】
前方側へ傾動可能な荷台部を備える歩行型動力運搬車であって、
前記荷台部の前部に回転開閉可能に下端側が支持される前面板と、
前記荷台部を水平状態で保持する水平状態保持手段と、
前記前面板を前記荷台部側へ閉じた収納状態で保持する収納状態保持手段と、
前記荷台部の水平状態の解除及び前記前面板の収納状態の解除を行う解除手段と、
前記荷台部を前方側へ傾動させたダンプ状態で保持するダンプ状態保持手段と、
前記前面板を前記収納状態から前方に所定の角度開放させた位置で保持する開放角度保持手段と、
前記解除手段により前記収納状態が解除された前記前面板の開閉動作を行う前面板動作手段と、を備えることを特徴とする歩行型動力運搬車。
【請求項２】
前記前面板は、前記ダンプ状態保持手段によって前記荷台部がダンプ状態で保持された状態で、前記解除手段によって前記収納状態が解除されることにより、自重で前方へ開放されることを特徴とする請求項１に記載の歩行型動力運搬車。
【請求項３】
前記荷台部の床面上で回転可能且つスライド可能に設けられるガイド部材と、
前記ガイド部材を前記荷台部の床面上に固定する固定部材と、
前記ガイド部材を前記荷台部の床面上で回転及びスライドさせた際に、前記ガイド部材と前記荷台部の後部に立設される後面板との間に生じる隙間を閉鎖するサブガイド板と、を備え、
前記前面板は、前記収納状態において、前記荷台部の床面に垂直な方向に対して所定の角度前方側に傾斜した状態で設けられ、
前記前面板の幅方向の両側には、前記収納状態において、前記前面板と、前記荷台部の幅方向の両側にそれぞれ設けられる側板との間に生じる隙間を閉鎖する前部ガイド板がそれぞれ取り外し可能に設けられ、
前記荷台部の幅方向の両側には、外側に開閉可能な側板が設けられていること特徴とする請求項１又は２に記載の歩行型動力運搬車。
【請求項４】
前記サブガイド板は、前記ガイド部材内に収納可能であることを特徴とする請求項３に記載の歩行型動力運搬車。
【請求項５】
前記開放角度保持手段は、前記前面板の内面と前記荷台部の床面とが略面一の状態となる位置で前記前面板を保持することを特徴とする請求項１乃至４のいずれかに記載の歩行型動力運搬車。
【請求項６】
前記荷台部が前記ダンプ状態保持手段によりダンプ状態で保持された状態において、前記開放角度保持手段により前記所定の角度開放された位置で保持されている前記前面板の先端の高さを調節する高さ調節手段を備えることを特徴とする請求項１乃至５のいずれかに記載の歩行型動力運搬車。
【発明の詳細な説明】
【技術分野】
【０００１】
本発明は、除雪作業を行うことができる歩行型動力運搬車に関する。
【背景技術】
【０００２】
従来から、エンジンや電動モータ等の駆動部によって駆動されるクローラや車輪等を有する走行部と、前方側へダンプ可能に設けられた荷台とを備える歩行型の動力運搬車が知られている。このような歩行型の動力運搬車は、様々な荷物等の運搬を主な目的とするものであり、別途、除雪作業を行うための機構を備えたものはこれまでなかった。
【０００３】
また、歩行型の動力運搬車としては、例えば、手動で荷台をダンプさせることが可能に構成されているタイプのものがある。しかしながら、このタイプの動力運搬車では、荷台をダンプさせることにより、荷台上に積載された積載物を外部に排出することを目的としているため、荷台をダンプさせた後に荷台のダンプ状態を保持しながら手放しで運搬移動作業を行えるものはなかった。
【０００４】
また、動力運搬車の荷台の前部に設けられる前面板を開放させる方法としては、例えば、図２３に示すように、荷台１００の下の蝶ネジ１０１等を緩めて、前面板１０２をスライドする方法や、図２４に示すように、側あおり板１０３の上部に設けられる前面板ロックレバー１０４を上に上げて解除し、前面板１０２の下部に設けられる前面板ロック爪部１０５を支点にして、前面板１０２を前方側に倒すことにより開放する方法等がある。しかしながら、これらはいずれも作業者が荷台の前方へ移動して、前面板を開放するための作業を行う必要があった。また、荷台を前方側へダンプさせることにより、前面板の下部を自動的に開放するための機構も提案されている（例えば、特許文献１参照）が、荷台をダンプさせた状態で、前面板の上部を任意のタイミングで回転開放させることはできなかった。以上のように、従来の歩行型動力運搬車は、いずれも荷物等の運搬を主な目的とするものであるため、従来の歩行型動力運搬車の機構では、除雪作業を行うことは困難であった。
【０００５】
一方、歩行型の除雪機としては、機体の左右側にクローラ走行部をそれぞれ備え、機体の前方に排雪板を備え、機体の後方に左右のハンドルを備え、左右のクローラ走行部で前進走行しながら排雪板で除雪作業を行うものが知られている（例えば、特許文献２参照）。
【先行技術文献】
【特許文献】
【０００６】
【特許文献１】特開２００７−２６９２７２号公報
【特許文献２】特開２００８−１３３６０３号公報
【発明の概要】
【発明が解決しようとする課題】
【０００７】
しかしながら、特許文献２のような歩行型の除雪機を用いて除雪作業を行う場合、排雪板だけで雪を押しながら前進していくため、雪の抵抗と雪の重みによって全体の重心位置が前方に移動することで除雪機の後部が持ち上がり易くなり、除雪機の駆動力が雪への接地面に伝達し難くなっていた。そのため、作業者は、効率良く除雪しようとすれば、除雪機の操縦ハンドルを地面方向に押さえながら前進方向することが要求され、除雪作業を行う作業者の労力が大きくなっていた。また、このような除雪機は、一般的に軽量且つ安価に構成される家庭向け小型タイプのため、大きな駆動力を有する大型エンジンや駆動力を増加させるための部品等を搭載すると高価な除雪機となり、使用者にとって経済的な負担になるという問題があった。
【０００８】
本発明は、上記のような種々の課題に鑑みてなされたものであって、比較的安価な構成で除雪作業の労力を軽減することができる歩行型動力運搬車を提供することを目的とする。
【課題を解決するための手段】
【０００９】
上記目的を達成するために、請求項１に記載の歩行型動力運搬車は、前方側へ傾動可能な荷台部を備える歩行型動力運搬車であって、前記荷台部の前部に回転開閉可能に下端側が支持される前面板と、前記荷台部を水平状態で保持する水平状態保持手段と、前記前面板を前記荷台部側へ閉じた収納状態で保持する収納状態保持手段と、前記荷台部の水平状態の解除及び前記前面板の収納状態の解除を行う解除手段と、前記荷台部を前方側へ傾動させたダンプ状態で保持するダンプ状態保持手段と、前記前面板を前記収納状態から前方に所定の角度開放させた位置で保持する開放角度保持手段と、前記解除手段により前記収納状態が解除された前記前面板の開閉動作を行う前面板動作手段と、を備えることを特徴としている。
【００１０】
請求項２に記載の歩行型動力運搬車では、前記前面板は、前記ダンプ状態保持手段によって前記荷台部がダンプ状態で保持された状態で、前記解除手段によって前記収納状態が解除されることにより、自重で前方へ開放されることを特徴としている。
【００１１】
請求項３に記載の歩行型動力運搬車は、前記荷台部の床面上で回転可能且つスライド可能に設けられるガイド部材と、前記ガイド部材を前記荷台部の床面上に固定する固定部材と、前記ガイド部材を前記荷台部の床面上で回転及びスライドさせた際に、前記ガイド部材と前記荷台部の後部に立設される後面板との間に生じる隙間を閉鎖するサブガイド板と、を備え、前記前面板は、前記収納状態において、前記荷台部の床面に垂直な方向に対して所定の角度前方側に傾斜した状態で設けられ、前記前面板の幅方向の両側には、前記収納状態において、前記前面板と、前記荷台部の幅方向の両側にそれぞれ設けられる側板との間に生じる隙間を閉鎖する前部ガイド板がそれぞれ取り外し可能に設けられ、前記荷台部の幅方向の両側には、外側に開閉可能な側板が設けられていること特徴としている。
【００１２】
請求項４に記載の歩行型動力運搬車は、前記サブガイド板が、前記ガイド部材に収納可能であることを特徴としている。
【００１３】
請求項５に記載の歩行型動力運搬車は、前記開放角度保持手段が、前記前面板の内面と前記荷台部の床面とが略面一の状態となる位置で前記前面板を保持することを特徴としている。
【００１４】
請求項６に記載の歩行型動力運搬車は、前記荷台部が前記ダンプ状態保持手段によりダンプ状態で保持された状態において、前記開放角度保持手段により前記所定の角度開放された位置で保持されている前記前面板の先端の高さを調節する高さ調節手段を備えることを特徴としている。
【発明の効果】
【００１５】
請求項１に記載の歩行型動力運搬車によれば、荷台部をダンプさせた状態で、解除手段を用いて、前面板を任意の時期に回転開放させることができる。また、開放された前面板は、前面板動作手段によって必要に応じて開閉動作を行うことができる。そのため、作業者は、前方に移動して、前面板を開閉するための作業を行う必要がなく、除雪作業を行うための動作を容易に効率良く行うことができる。
【００１６】
また、ダンプ状態保持手段によって荷台部をダンプ状態で保持することができるので、ダンプ状態で前面板を開放させたまま前進走行することで、荷台部の床面上に雪を積載しながら走行することができる。これにより、開放された前面板を通過して荷台部の床面上に積載された雪が、走行部の駆動力をロスさせることのない重みの役割を果たし、駆動力が雪の接地面に確実に伝達されるので、除雪作業を効率良く行うことができ、作業者の労力を低減することができる。
【００１７】
また、開放角度保持手段によって前面板を前方に所定の角度開放させた位置で保持することができるので、荷台部をダンプ状態から水平状態にする場合でも、前面板が垂れ下がらないため、雪が落下するのを防止することができる。また、解放されている前面板を収納状態に戻すことにより、前面板上に載っている雪も跳ね上げられて水平状態の荷台部の床面上に積載されるので、そのまま雪を集雪場所へ運搬して、再びダンプ状態にすることで、雪を集雪場所へ容易に排出することができる。また、積雪時以外は、通常の荷物等を運搬するための歩行型動力運搬車として利用することができるので、経済的且つ利便性にも優れている。また、この歩行型動力運搬車を走行させるための駆動部は、従来の歩行型動力運搬車と同様に構成することができるので、特別なエンジンや部品等を設ける必要がなく、比較的安価に構成することができる。
【００１８】
請求項２に記載の歩行型動力運搬車によれば、前面板は、ダンプ状態保持手段によって荷台部がダンプ状態で保持された状態で、解除手段によって収納状態が解除されることにより、自重で前方へ開放される。従って、前面板の開放をモータ等の動力を用いることなく、簡易な構成で作業者の任意のタイミングで行うことができる。
【００１９】
請求項３に記載の歩行型動力運搬車によれば、荷台部をダンプさせて、前面板を開放させた状態で、ガイド部材を床面上で走行方向に対して斜めになるように回転させて固定し、サブガイド板により隙間を閉鎖し、ガイド部材の前端と逆方向に位置する側の一方の側板を開放し、更にガイド部材の前端と逆方向に位置する側の一方の前部ガイド板を取り外した状態で、前進走行することで、雪を片側に寄せていくような除雪作業を効率良く行うことができる。
【００２０】
請求項４に記載の歩行型動力運搬車によれば、雪を片側に寄せていくような除雪作業を行う場合以外は、サブガイド板をガイド部材に収納することにより、サブガイド板が他の作業を行う際に邪魔になるのを防止することができる。
【００２１】
請求項５に記載の歩行型動力運搬車によれば、開放角度保持手段によって、前面板の内面と荷台部の床面とが略面一の状態となる位置で前面板を保持するので、前進走行させた際に、荷台部の床面上に雪を効率良く積載しながら走行することができる。
【００２２】
請求項６に記載の歩行型動力運搬車によれば、ダンプ状態で開放されている前面板の先端の高さを調節することができるので、積雪の仕方等に応じて除雪作業を効率良く行うことができる。
【図面の簡単な説明】
【００２３】
【図１】本発明の実施形態に係る歩行型動力運搬車の一例を示す概略斜視図である。
【図２】本発明の実施形態に係る歩行型動力運搬車の一例を示す概略側面図である。
【図３】本発明の実施形態に係る歩行型動力運搬車の一例を示す平面図である。
【図４】床板部の床面側の構造の一例を示す概略斜視図である。
【図５】床板部の底面側の構造の一例を示す概略斜視図である。
【図６】ガイド部材の一例を示す概略斜視図である。
【図７】ガイド部材の内部構造の一例を示す概略斜視図であって、（ａ）はサブガイド板の収納時を示しており、（ｂ）はサブガイド板の延長時を示している。
【図８】スライド案内部材の一例を示す概略斜視図である。
【図９】床板部の床面を水平状態で保持するための機構の一例について示す概略模式図である。
【図１０】荷台部をダンプさせた状態における荷台ロック金具とけん制板との関係について示す概略模式図である。
【図１１】荷台ダンプ保持レバー及び高さ調節板の構造の一例を示す概略斜視図である。
【図１２】前面板開閉ロッドの一例を示す概略斜視図である。
【図１３】前面板の収納状態を保持するための機構の一例について示す概略模式図である。
【図１４】前面板の収納状態を解除した際の状態について説明するための概略模式図である。
【図１５】荷台部が水平状態で保持され、且つ前面板が収納状態で保持された状態について説明するための概略模式図であって、（ａ）は、荷台部と前面板の状態を示しており、（ｂ）は、カム部とピン部の状態を示している。
【図１６】荷台部がダンプ状態で保持され、且つ前面板が開放状態で保持された状態について説明するための概略模式図であって、（ａ）は、荷台部と前面板の状態を示しており、（ｂ）は、カム部とピン部の状態を示している。
【図１７】荷台部が水平状態で保持され、且つ前面板が開放状態で保持された状態について説明するための概略模式図であって、（ａ）は、荷台部と前面板の状態を示しており、（ｂ）は、カム部とピン部の状態を示している。
【図１８】荷台部が水平状態で保持され、前面板の収納状態が解除された状態について説明するための概略模式図であって、（ａ）は、荷台部と前面板の状態を示しており、（ｂ）は、カム部とピン部の状態を示している。
【図１９】荷台ダンプ保持レバーの構造の一例を示す概略斜視図である。
【図２０】高さ調節板の構造の一例を示す概略斜視図である。
【図２１】雪を片側に寄せる除雪作業を行う際のダンプ前の除雪機構について説明するための概略平面図である。
【図２２】雪を片側に寄せる除雪作業を行う際の除雪機構について説明するための概略斜視図である。
【図２３】従来の荷台の前部に設けられる前面板を開放する方法の一例について説明するための概略模式図である。
【図２４】従来の荷台の前部に設けられる前面板を開放する方法の他の一例について説明するための概略模式図である。
【発明を実施するための形態】
【００２４】
以下、本発明に係る歩行型動力運搬車の実施形態について、図面を参照しつつ説明する。本発明の実施形態に係る歩行型動力運搬車１は、積雪時以外の時は、荷物を積載して運搬することができ、積雪時には除雪作業を行うことができる歩行型クローラタイプの動力運搬車であって、図１及び図２に示すように、駆動部２によって駆動される走行部３と、除雪作業を行うための除雪機構４と、走行部３及び除雪機構４を支持する本体フレーム５と、該本体フレーム５の後方側に設けられ、走行部３の駆動を操作するための運転操作部６等を備えている。
【００２５】
駆動部２は、走行部３を駆動させるためのものであって、例えば、エンジンや電動モータ等の原動機が用いられる。走行部３は、駆動部２によって駆動される車軸（不図示）と、該車軸に固定される後側の駆動輪７と、前側の従動輪８と、駆動輪７と従動輪８に巻回されたクローラベルト９等によりクローラ式に構成されている。また、走行部３は、詳しくは図示しないが、例えば、駆動部２からの駆動力が遠心クラッチ、減速機、伝動機構等を介して車軸に伝達されるものであり、従来公知の歩行型動力運搬車に用いられる構成を適用することができる。尚、走行部３は、ここではクローラ式のものを示しているが、これに限定されるものではなく、ホイール式のものであっても良い。
【００２６】
除雪機構４は、積雪時に除雪作業を行うためのものであって、図１〜図３に示すように、荷物等の運搬対象物を積載可能な荷台部１０と、該荷台部１０の前部に回転開閉可能に設けられる前面板１１と、該前面板１１の幅方向の両側にそれぞれ設けられる前部ガイド板１２等を備えている。荷台部１０は、本体フレーム５上に前方側へ傾動可能に設けられており、本体フレーム５の両側には、クローラ式の走行部３がそれぞれ設けられている。また、本体フレーム５の後方側には、運転操作部６が設けられている。
【００２７】
運転操作部６は、作業者が走行部３の駆動等を操作するためのものであって、クラッチレバー１３や前後進切替レバー１４等を備える操作盤１５、ハンドル１６、ブレーキ１７等が設けられている。また、詳しくは図示しないが、操作盤１５からはケーブルが駆動部２に接続され、操作盤１５の操作によって駆動部２を駆動制御できるように構成されており、例えば、前後進切替レバー１４の切替操作によって走行部３を前進駆動又は後進駆動させることができるようになっている。尚、操作盤１５からケーブルの代わりに無線信号により駆動部２を駆動制御できるように構成されていても良い。
【００２８】
荷台部１０は、図１〜３に示すように、荷物等の運搬対象物を積載可能な床面１８ａを有する床板部１８と、該床板部１８の後部に立設される後面板１９と、床板部１８の幅方向の両側にそれぞれ設けられる側板２０とを有している。それぞれの側板２０は、外側に回転開閉できるように下端部が床板部１８の両側端でそれぞれ支持されている。また、後面板１９は、荷台部１０と運転操作部６を仕切るように、側板２０よりも高く形成されて、床板部１８の後部に立設されている。
【００２９】
床板部１８の底面１８ｂには、図５に示すように、前後方向に長尺な２つ板状の支持片１８ｃが下方に突出するように平行に設けられている。また、支持片１８ｃには、それぞれダンプ支点穴１８ｄが形成されており、このダンプ支点穴１８ｄが、図２に示すように、本体フレーム５のダンプ支点５ａで回転自在に軸支されることより、床板部１８は本体フレーム５上で傾動可能に支持されている。
【００３０】
床板部１８の床面１８ａ上には、図１及び図３に示すように、ガイド部材２１と、該ガイド部材２１を床面１８上に固定するための固定部材として機能するノブボルト２２と、ガイド部材２１の内部に収納可能なサブガイド板２３とが設けられている。
【００３１】
ガイド部材２１は、図６及び図７に示すように、左右のガイド板２４ａ、２４ｂと、ガイド板２４ａ、２４ｂをスライド可能に案内するためのスライド案内部材２５と、ガイド板２４ａ、２４ｂの間に設けられる複数のライナー２６とを備えている。ガイド板２４ａ、２４ｂは、互いに対称になるように形成されており、前後方向の長さは、床面１８ａの前後方向の長さより若干短く形成されている。また、ガイド板２４ａ、２４ｂの上端及び下端には、ガイド部材２１が安定して床面１８ａ上をスライドできるように、上下方向に対して外側に直角に折り曲げられた前後方向に長尺なスライド片２７がそれぞれ形成されている。
【００３２】
左右のガイド板２４ａ、２４ｂは、ライナー２６を介して取付けられており、ガイド板２４ａ、２４ｂの間には、ライナー２６の厚み分の隙間Ｓが形成されている。ライナー２６の厚みは、ノブボルト２２のボルト部分の直径より大きく形成されており、隙間Ｓ内をノブボルト２２のボルト部分が通過できるようになっている。また、ガイド板２４ａ、２４ｂの前端側は、互いに若干内側を向くように形成されており、ガイド板２４ａ、２４ｂが、ライナー２６を介して取付けられた際に、ガイド板２４ａ、２４ｂの前端が当接するようになっている。
【００３３】
スライド案内部材２５は、図８に示すように、幅方向の両端にそれぞれ下方に折り曲げて形成されたガイド片２５ａを有している。このスライド案内部材２５は、図６に示すように、ライナー２６を介して取り付けられた左右のガイド板２４ａ、２４ｂの上方に設けられており、左右のガイド片２５ａ内にガイド板２４ａ、２４ｂの上端側のスライド片２７がそれぞれ収まるようになっている。これにより、ガイド板２４ａ、２４ｂは、スライド案内部材２５から外れることなく、ガイド片２５ａに沿ってスライドさせることができる。
【００３４】
また、スライド案内部材２５の略中央部には、ノブボルト２２を挿通可能な挿通孔２５ｂが形成されている。そして、床板部１８の床面１８ａ側の略中央部には、図４に示すように、底面１８ｂ側まで貫通したボルト孔１８ｅが形成されている。また、このボルト孔１８ｅが形成された床面１８ａの位置と対応する底面１８ｂ側には、ボルト孔１８ｅに連続して、図５に示すように、内部に雌ネジが形成されているナット部１８ｆが溶接されて設けられている。従って、左右のガイド片２５ａ内にガイド板２４ａ、２４ｂの上端側のスライド片２７がそれぞれ収まるように、左右のガイド板２４ａ、２４ｂの上方にスライド案内部材２５を設けた状態で、挿通孔２５ｂからノブボルト２２を挿通させ、更にノブボルト２２を床面１８ａの略中央に形成されたボルト孔１８ｅに挿通させ、底面１８ｂ側に設けられたナット部１８ｆと締結させることにより、図１及び図３に示すように、ガイド部材２１を床面１８ａ上に固定させることができる。また、ノブボルト２２とナット部１８ｆの締結を緩めることで、ノブボルト２２を中心にガイド部材２１を床面１８ａ上で回転させることができる。
【００３５】
また、床板部１８の後部に立設された後面板１９の前面１９ａの幅方向の中央には、図３に示すように、断面コの字状の受け部材２８が取り付けられている。従って、ガイド部材２１を側板２０と平行な状態で固定する場合には、図３に示すように、ガイド部材２１の後端を受け部材２８に嵌め込んで、ノブボルト２２とナット部１８ｆを締結させることにより、ガイド部材２１をより安定させた状態で床面１８ａ上に固定させることができる。尚、ガイド部材２１を回転させる際には、ノブボルト２２とナット部１８ｆの締結を緩めた後、ガイド部材２１の後端が受け部材２８から出るように、ガイド部材２１を前方に若干スライドさせてから回転させる。
【００３６】
サブガイド板２３は、図３及び図６に示すように、ガイド部材２１の後端側の隙間Ｓに収納できるようになっている。サブガイド板２３は、図７に示すように、略正方形又は長方形状に形成された薄板状の部材であって、ガイド部材２１を床面１８ａ上で回転及びスライドさせた際に、ガイド部材２１の後端と後面板１９との間に生じる隙間を閉鎖するようにガイド部材２１の後端から延長するものである。サブガイド板２３には、後部の下方側に設けられた回転軸部２３ａを中心とする９０°の円弧状のスリット２３ｂが形成されている。サブガイド板２３は、一方のガイド板２４の内面に固定され、回転軸部２３ａからスリット２３ｂの円弧の半径分だけ上方に位置するピン（不図示）がスリット２３ｂに挿入された状態で、ガイド板２４ａ、２４ｂとの間に取り付けられている。従って、サブガイド板２３を回転軸部２３ａを中心としてスリット２３ｂに沿って後方側へ９０度回転させることにより、図７（ｂ）に示すように、ガイド部材２１の後端から延長させることができる。このように、サブガイド板２３を回転軸部２３ａだけでなく、スリット２３ｂに一方のガイド板２４の内面に固定されたピンを挿入することにより、ガイド板２４ａ、２４ｂの間に取り付けているので、回転軸部２３ａのみで回転可能に取り付けた場合よりも強度を向上させることができる。尚、本実施形態では、サブガイド板２３を９０°回転させることにより、ガイド部材２１の後端から延長させるように構成しているが、サブガイド板をガイド部材２１の後端からスライドさせて引き出すことができるように構成しても良い。
【００３７】
前面板１１は、図１及び図２に示すように、床板部１８の前部に回転軸Ａを中心に回転開閉可能に設けられるものであって、内面１１ａ側が略平らな板状に形成されたスノープラウを用いている。また、この前面板１１の両端には、それぞれ前部ガイド板１２が取り外し可能なようにネジ止めされて取り付けられている。この前部ガイド板１２は、前面板１１が、図２に示すように、荷台部１０側（後方側）へ閉じられた収納状態において、床板部１８の床面１８ａに垂直な方向に対して所定の角度前方側へ傾斜した状態で設けられることによって前面板１１の両端から側板２０の前端の間に生じる隙間を閉鎖することができる形状に形成されている。
【００３８】
歩行型動力運搬車１では、通常の荷物等を荷台部１０に積載して運搬する際には、床板部１８の床面１８ａが水平な状態で保持される。そのため、除雪機構４は、図９に示すように、床板部１８の床面１８ａを水平な状態で保持するための手段として、図５に示す床板部１８の底面１８ｂの後部に形成された軸部１８ｇに回転自在に取り付けられる荷台ロック金具２９と、本体フレーム５に設けられた荷台ロックピン３０とを備えており、荷台ロック金具２９に形成された溝状のカギ部２９ａと荷台ロックピン３０が掛合することにより、床板部１８は、ダンプ支点５ａを中心に傾動することなく水平な状態で保持される。尚、図９では水平状態で保持される際の荷台ロック金具２９と荷台ロックピン３０の状態を説明するため床板部１８は省略して図示している。
【００３９】
荷台ロック金具２９は、図９に示すように、上端に円筒状の軸穴２９ｂが設けられており、この軸穴２９ｂが、軸部１８ｇに回転自在に取り付けられるようになっている。また、荷台ロック金具２９には、床板部１８の水平状態及び前面板１１の収納状態を解除するために、ダンプワイヤー３１の後端と前面板開放ワイヤー３２の先端が取り付けられている。ダンプワイヤー３１の先端は、図２に示すように、後面板１９に固定されている手動ダンプレバー３３に備えられるダンプ解除レバー３４に取り付けられている。従って、このダンプ解除レバー３４を作業者が握ることで、ダンプワイヤー３１が引っ張られ、それに伴いダンプワイヤー３１の後端に連結されている荷台ロック金具２９が軸部１８ｇを中心に回転することにより、荷台ロックピン３０からカギ部２９ａが外れて、床板部１８の水平状態での保持が解除される。
【００４０】
尚、本体フレーム５には、図９に示すように、床板部１８の水平状態における荷台ロック金具２９の回転を制限するためのけん制板３５が固定されている。従って、荷台ロックピン３０からカギ部２９ａが外れた後、床板部１８が水平な状態のまま、作業者がダンプ解除レバー３４を更に握ったとしても、荷台ロック金具２９がけん制板３５に当接するため、ダンプワイヤー３１及び前面板開放ワイヤー３２がそれ以上引っ張られないようになっている。つまり、本実施形態の歩行型動力運搬車１では、床板部１８が水平な状態において、前面板１１は前方側へ回転開放しないように規制されている。また、荷台ロック金具２９には、作業者がダンプ解除レバー３４を握った際に、ダンプワイヤー３１に働く張力と逆向きの張力を有するバネ部材が取り付けられており、軸部１８ｇを中心に回転した荷台ロック金具２９が元の位置に復元するように構成されている。
【００４１】
ダンプ解除レバー３４を用いて前面板開放ワイヤー３２を引っ張って、前面板１１を前方へ開放させる場合には、荷台ロックピン３０からカギ部２９ａが外れて床板部１８の水平状態での保持が解除された後、床板部１８（荷台部１０）を前方側へ傾動させて、ダンプ状態にすることにより、図１０に示すように、荷台ロック金具２９がけん制板３５に当接しない状態にする必要がある。動力運搬車１では、作業者は、床板部１８の水平状態での保持が解除された状態で、後面板１９に固定されている手動ダンプレバー３３を持ち上げることにより、荷台部１０を手動でダンプさせることができる。また、手動ダンプレバー３３を下げることにより、荷台部１０を降ろしていくと、荷台ロック金具２９の下部に形成された直線状の傾斜部２９ｃが荷台ロックピン３０に当接し、この荷台ロックピン３０によって荷台ロック金具２９が軸部１８ｇを中心に回転し、再びカギ部２９ａと荷台ロックピン３０とが掛合し、荷台部１０は水平状態で保持される。
【００４２】
また、手動ダンプレバー３３を用いてダンプされた荷台部１０は、図１１に示す荷台ダンプ保持レバー３６に取り付けられた高さ調節板３７の溝部３７ａに、荷台部１０の後部の下端側に設けられたダンプ保持固定ピン３８が入ることにより、荷台部１０がダンプ状態で保持される。荷台ダンプ保持レバー３６は、図３に示すように、本体フレーム５に回転可能に支持されている。荷台ダンプ保持レバー３６の下方側にはカム部３６ａが形成されており、このカム部３６ａと、本体フレーム５に支持されるフットペダル３９の前部３９ａとが引張バネ４０により連結されている。フットペダル３９は、略四角形の枠状に形成されており、前部３９ａが本体フレーム５に回転可能に支持されている。そのため、作業者は、フットペダル３９の後部３９ｂを踏むことにより、引張バネ４０の張力によって、荷台ダンプ保持レバー３６を前方側（荷台部１０側）へ少し回転させることができる。また、高さ調節板３７には、ダンプ保持固定ピン３８を接触させながら、溝部３７ａと案内するための凹部３７ｂが形成されている。従って、作業者は、フットペダル３９を踏んで、荷台ダンプ保持レバー３６を荷台部１０側へ少し回転させ、ダンプ保持固定ピン３８を高さ調節板３７の凹部３７ｂに接触させながら、手動ダンプレバー３３で荷台部１０をダンプさせていくことにより、ダンプ保持固定ピン３８を溝部３７ａへ入れて、荷台部１０をダンプ状態で保持することができる。このように、本実施形態では、荷台ダンプ保持レバー３６に取り付けられた高さ調節板３７の溝部３７ａと、荷台ダンプ保持固定ピン３８とにより、荷台部１０をダンプ状態で保持するダンプ状態保持手段が構成される。
【００４３】
また、荷台部１０をダンプ状態で保持した状態で、作業者は、ダンプ解除レバー３４を更に握ることにより、ダンプワイヤー３１及び荷台ロック金具２９を介して前面板開放ワイヤー３２を引っ張ることができる。除雪機構４では、前面板開放ワイヤー３２の後端は、図１３に示すように、前面板開閉リンク４１の平板状のリンク板４１ａに取り付けられている。このリンク板４１ａには、上下に所定の間隔を有し、動力運搬車１の幅方向側へ突出するように２本の丸棒４１ｂが設けられている。また、前面板開閉リンク４１は、本体フレーム５に回転自在に取り付けられる棒状の支持軸４１ｃを備えており、前面板開放ワイヤー３２が引っ張られると、それに伴いリンク板４１ａも回転するように構成されている。
【００４４】
また、前面板開閉リンク４１には、図１３に示すように、前面板開閉ロッド４２が接続されている。前面板開閉ロッド４２の先端には、図１２に示すように、幅方向に長尺な支持部材４２ａが設けられており、この支持部材４２ａは、前面板１１の後端部の底面１１ｂに形成されている固定片１１Ｃに固定される。また、前面板開閉ロッド４２の後部側は、２本の丸棒４１ｂの間を通って、支持軸４１ｃに載置された状態で設けられている。前面板開閉ロッド４２の後部には、下方に突出するよう凸部４２ｂが形成されており、この凸部４２ｂが支持軸４１ｃに当接することにより、前面板開閉ロッド４２が後方へ移動するのを規制し、前面板１１の収納状態を保持している。つまり、本実施形態では、前面板開閉リンク４１の支持軸４１ｃと前面板開閉ロッド４２の凸部４２ｂにより、前面板１１を収納状態で保持する収納状態保持手段が構成されている。
【００４５】
前面板１１を収納状態から前方側へ回転開放する場合には、荷台部１０をダンプ状態で保持した状態で、作業者が、ダンプ解除レバー３４を握ることにより、ダンプワイヤー３１及び荷台ロック金具２９を介して前面板開放ワイヤー３２を引っ張る。これにより、前面板開放ワイヤー３２の後端と連結されている平板状のリンク板４１ａが回転し、このリンク板４１ａに設けられる下側の丸棒４１ｂによって、前面板開閉ロッド４２が持ち上げられ、凸部４２ｂが支持軸４１ｃを乗り越え、図１４に示すように、支持軸４１ｃの後方に位置し、前面板１１の収納状態が解除される。これに伴い、前面板１１は、自重により前方側へ回転開放することになる。このように、本実施形態では、ダンプ解除レバー３４、ダンプワイヤー３１、及び前面板開放ワイヤー３２が、荷台部１０の水平状態の解除及び前面板１１の収納状態の解除を行う解除手段として機能する。
【００４６】
本体フレーム５に回転可能に支持されているフットペダル３９の前部３９ａには、図１５（ａ）に示すように、当該前部３９ａの動きに伴って回動する板状の回動部材３９ｄが設けられている。また、本体フレーム５には、回動部材３９ｄが後方側へ所定の角度以上回転するのを規制するための規制部材４３が設けられている。回動部材３９ｄの下部には、幅方向の外側へ突出するピン部３９ｅが形成されており、このピン部３９ｅは、前面板収納ロッド４４の後部側に形成されている前後方向に長尺な長穴４４ａに遊嵌されている。
【００４７】
また、前面板収納ロッド４４の先端部は、前面板収納アームリンク４５の高さ方向の略中央に取り付けられている。前面板収納アームリンク４５は、下端側が本体フレーム５に回転自在に支持されており、上端側には、前面板収納アーム４６の後端が回転自在に取り付けられている。また、前面板収納アーム４６の先端側は、前面板１１の固定片１１ｃに固定されている前面板開閉ロッド４２の支持部材４２ａの端部に取り付けられている。従って、図１６（ａ）に示すように、前面板１１が前方へ開放した状態において、作業者がフットペダル３９を踏み込むと、回動部材３９ｄが前方へ回動し、ピン部３９ｅが長穴４４ａの前部に当接して、前面板収納ロッド４４を前方へと押し出す。これにより、前面板収納アームリンク４５は、前面板収納ロッド４４に押されて、下端側の回転軸を中心として前方側へ回動し、それに伴って前面板収納アーム４６も前方側へと押し出されることにより、前面板１１を後方側へと回転させ、収納させることができる。この際、前板開閉ロッド４２は、支持部材４２ａに取り付けられている前面板収納アーム４６と共に前方側へ移動し、凸部４２ｂが支持軸４１ｃを乗り越えて、図１２に示すように、支持軸４１ｃの前方に位置した状態に戻るので、再び前面板１１の収納状態を保持することができる。このように、本実施形態では、フットペダル３９、前面板収納ロッド４４、前面板収納アームリンク４５、及び前面板収納アーム４６によって、収納状態の解除時における前面板１１の開閉動作を行う前面板動作手段が構成されている。尚、図１５〜１８では、前面板動作手段の動作を説明するために、一方側の前面板収納ロッド４４、前面板収納アームリンク４５、及び前面板収納アーム４６のみを図示して説明しているが、これらは床板部１８の幅方向の中心に対して対称になるよう両側に備えられている。また、図１５〜１８では、走行部３については省略して図示している。
【００４８】
また、フットペダル３９には、荷台ダンプ保持レバー３６が設けられている側のサイド部３９ｃに、図１５（ｂ）に示すような丸棒状のストッパー３９ｆが設けられており、荷台部１０が水平状態の場合には、このストッパー３９ｆは、カム部３６ａの下部に形成されている２つの凹部３６ｂ、３６ｃのうち、前方側の凹部３６ｂに掛合した状態になっている。また、荷台部１０をダンプ状態で保持するために、作業者がフットペダル３９の後部３９ｂを踏むことにより、引張バネ４０の張力によって、荷台ダンプ保持レバー３６を前方側（荷台部１０側）へ回転させ、ダンプ保持固定ピン３８を高さ調節板３７の溝部３７ａへ掛合させた場合には、図１６（ｂ）に示すように、ストッパー３９ｆは、後方側の凹部３６ｃへと移動し、凹部３６ｃに掛合した状態になる。
【００４９】
そして、荷台部１０がダンプ状態で保持された状態で、作業者が、ダンプ解除レバー３４を握ることにより、前面板１１を前方側へ回転開放すると、前面板収納アーム４６は、後方側へ押し出され、それに伴って前面板収納アームリンク４５は、後方側へ回動する。これにより、前面板収納ロッド４４も前面板収納アームリンク４５によって後方へ押され、長穴４４ａの前部がピン部３９ｅに当接するが、ストッパー３９ｆが凹部３６に掛合されているので、回動部材３９ｄが後方へ回動することなく、そのままの状態で維持される。そのため、前面板１１は、所定の角度前方へ開放した位置で保持されることになる。この際、図１６に示すように、前面板収納アーム４６の後端側の回転軸Ｂは、側面側から見た場合に、荷台ダンプ支点５ａと重なるように位置し、前面板１１は、内面１１ａと床板部１８の床面１８ａが略面一の状態となる位置で保持される。
【００５０】
また、荷台部１０のダンプ状態の保持を解除するために、荷台ダンプ保持レバー３６を後方側へ１段階引いて、ダンプ保持固定ピン３８と３７の溝部３７ａの掛合状態を解除すると、ストッパー３９ｆは、図１７（ｂ）に示すように、再び前方側の凹部３６ｂに掛合した状態に戻る。そして、この状態から、作業者が手動ダンプレバー３３を押し下げることにより、荷台部１０をダンプ状態から水平状態に戻すことができる。この際、図１７（ａ）に示すように、前面板収納アーム４６の後端側の回転軸Ｂは、側面側から見た場合に、荷台ダンプ支点５ａと重なるように位置しており、ストッパー３９ｆは凹部３６ｂに掛合した状態のままであるので、前面板１１の内面１１ａと床板部１８の床面１８ａが略面一の状態のまま、荷台部１０をダンプ状態から水平状態に戻すことができる。つまり、本実施形態では、フットペダル３９に設けられるストッパー３９ｆと、荷台ダンプ保持レバー３６のカム部３６ａに形成されている凹部３６ｂ、３６ｃとが、前面板１１を所定の角度だけ前方側へ回転開放させた位置で保持するための開放角度保持手段としての機能を果たしている。従って、除雪機構４では、前面板１１の内面１１ａと床板部１８の床面１８ａのなす角度を変化させることなく、ダンプ状態から水平状態に戻すことができるので、例えば、前面板１１の内面１１ａに雪が積載されている状態で、荷台部１０をダンプ状態から水平状態に戻した場合でも、雪の重みによって前面板１１が前方側へ垂れ下がることがないため、雪を落下させることを防止することができる。
【００５１】
尚、作業者が、図１６（ａ）又は図１７（ａ）の状態において、フットペダル３９を踏んで、前面板１１を開放状態から収納状態に戻す際には、前面板収納アームリンク４５が、前面板収納ロッド４４に押されて、下端側の回転軸を中心として前方側へ回動し、それに伴って前面板収納アーム４６も前方側へと押し出されるので、前面板収納アーム４６の後端側の回転軸Ｂは、図１５（ｂ）に示すように、荷台ダンプ支点５ａよりも前方側に移動することになる。
【００５２】
また、荷台部１０の水平状態から荷台ダンプ保持レバー３６を後方側へ引くことにより、図１８（ｂ）に示すように、ストッパー３９ｆは、凹部３６ｂから外れて、カム部３６ａの前方に移動する。これにより、前面板１１の所定の開放角度での保持状態が解除され、図１８（ａ）に示すように、前面板１１を前方側へ垂れさせることができる。また、この状態で、作業者が前面板１１を収納状態に戻すまで踏み込まないよう力を調節して、フットペダル３９を踏んだり離したりすることで、前面板１１を回転軸Ａを中心にバタつかせることができる。これにより、作業者は、前面板１１の所まで移動することなく、前面板１１に積載された雪等を容易に振り払うことができる。
【００５３】
また、除雪機構４には、荷台部１０がダンプ状態において、前方側へ回転開放された状態の前面板１１の先端の高さを微調節するための手段として、図１１に示すように、荷台ダンプ保持レバー３６に高さ調節板３７、高さ微調節用のノブボルト４７、蝶ネジ４８、及び矢印付きのボルト４９が設けられている。荷台ダンプ保持レバー３６には、図１９に示すように、高さ調節板３７を取り付けるために、蝶ネジ４８のネジ部が挿通可能な孔が形成された取り付片３６ｄが前方側へ突出するよう設けられている。また、取り付片３６ｄの下方には、ボルト４９のネジ部が挿通可能な孔が形成された取付け片３６ｅが前方側へ突出するよう設けられている。また、取付け片３６ｄと略同じ高さの反対側（後方側）には、ノブボルト４７を挿通可能な挿通部３６ｆが設けられている。
【００５４】
高さ調節板３７は、図２０に示すように、荷台ダンプ保持レバー３６の取り付片３６ｄに対応する位置に、蝶ネジ４８のネジ部を挿通可能な高さ方向に長尺な長穴３７ｃと、取り付片３６ｅに対応する位置に、ボルト４９のネジ部を挿通可能な高さ方向に長尺な長穴３７ｄとがそれぞれ形成されている。また、高さ調整板３７の表面の長穴３７ｄの横には、作業者に前面板１１の先端の目標の高さを知らせるための高さ表示部３７ｅが形成されている。また、高さ調整板３７の裏面には、取付け片３６ｄの挿通部３６ｆを通過したノブボルト４７のネジ部に螺合可能なように内側に雌ネジが形成されたナット部３７ｆが設けられている。
【００５５】
高さ調節板３７は、図１１に示すように、表面側から長穴３７ｃ及び取り付片３６ｄに形成された孔に蝶ネジ４８のネジ部を通して、裏側からナット（不図示）によって締結することにより、荷台ダンプ保持レバー３６に取り付けられる。また、ボルト４９は、高さ調節板３７の表面側に高さ表示部３７ｅを指す矢印が現れるように、長穴３７ｄ及び取り付片３６ｅに形成された孔を通って、裏側からナット（不図示）によって締められる。また、ノブボルト４７は、付け片３６ｄの挿通部３６ｆを通して、ナット部３７ｆに螺合される。この状態で、蝶ネジ４８とナットの締結を緩め、ボルト４９を右に回すことにより、高さ調節板３７は少し上昇する。それに伴って、溝部３７ａによってダンプ状態で保持されている荷台部１０は少し前方側へと傾動するので、前面板１１の先端は下がることになる。このように、本実施形態では、積雪量や路面の状況に応じて、ボルト４９によって前面板１１の先端の高さを微調節することができる。尚、前面板１１の先端の高さを調節した後は、再び蝶ネジ４８とナットを締結することにより、前面板１１の先端の高さをその位置で維持することができる。
【００５６】
以下、本実施形態の歩行型動力運搬車１を用いて除雪作業を行う際の動作について説明する。歩行型動力運搬車１を用いた除雪作業方法としては、例えば、図１６（ａ）に示すように、荷台部１０をダンプ状態で保持し、前面板１１を前方側に開放した状態で、走行部３によって前進走行させる方法がある。このように、荷台部１０をダンプ状態で保持し、前面板１１を開放させたまま前進走行することで、床板部１８の床面１８ａ上に雪を積載しながら走行することができるので、前面板１１を通過して床面１８ａ上に積載された雪が、走行部３の駆動力をロスさせることのない重みの役割を果たし、駆動力を雪の接地面に確実に伝達することができる。また、このような方法により、例えば、駐車場の隅部等の車両の邪魔にならないような所定の場所に雪を押して行き、集雪することが可能である。
【００５７】
また、他の除雪作業方法としては、雪を所定の排斥場所まで運搬する方法がある。この方法では、まず上記の除雪作業方法と同様に、荷台部１０をダンプ状態で保持し、前面板１１を前方側に開放した状態で、走行部３によって前進走行させる。そして、床面１８ａ上に雪が積載された状態になると、一旦走行を停止し、図１７（ａ）に示すように、荷台部１０をダンプ状態から水平状態に戻し、更に前面板１１を開放状態から収納状態に戻すことにより、床板部１８上に雪を積載させる。その後、再び走行を開始し、所定の排斥場所まで雪を運搬する。そして、排斥場所で、再び荷台部１０をダンプ状態にし、前面板１１を開放することで、床板部１８に積載されていた雪を排斥する。この際、フットペダル３９を何度か少し踏んで、前面板１１を開閉動作させることにより、雪を排斥し易くすることができる。雪の排斥が完了すると、再び荷台部１０を水平状態に戻し、前面板１１を収納状態にしてから、目的の除雪作業を行う場所へ向かい、必要に応じて同様の作業を繰り返す。
【００５８】
更に、他の除雪作業方法としては、床板部１８上を雪が通過するように走行しながら、雪を片側に寄せていく方法がある。この方法では、まず図２１に示すように、ガイド部材２１を床板面１８ａ上の略対角線上に位置するよう回転させ、先端側が前部ガイド板１２又は側板２０内面に当接するまでスライドさせる。また、サブガイド板２３をガイド部材２１の後端から延長させて後面板１９の端部に当接させ、ガイド部材２１の後端と後面板１９との間に生じる隙間を閉鎖する。そして、ガイド部材２１の先端と当接する前部ガイド板１２の反対側に位置する前部ガイド板１２を取り外し、更にこの取り外された前部ガイド板１２側の側板２０を外側に開放させる。その後、図２２に示すように、荷台部１０をダンプ状態で保持し、前面板１１を開放する。この状態で、走行部３によって前進走行することにより、床板部１８の床面１８ａ上を通過した雪を開放された側板２０側に寄せながら走行することができる。この際、床面１８ａ上に積載されている雪が、走行部３の駆動力をロスさせることのない重みの役割を果たし、駆動力を雪の接地面に確実に伝達することができる。また、本実施形態に係る歩行型動力運搬車１では、積雪時以外の時には、ガイド部材２１を床面板１８ａ上から取り外すことにより、土や肥料、その他の荷物等を運搬するための通常の歩行型動力運搬車として利用することができる。
【００５９】
尚、本発明の実施の形態は上述の形態に限るものではなく、本発明の思想の範囲を逸脱しない範囲で適宜変更することができる。
【産業上の利用可能性】
【００６０】
本発明に係る歩行型動力運搬車は、通常時は荷物等の運搬を行い、積雪時には走行しながら除雪作業を行うことができる歩行型動力運搬車として有効に利用することができる。
【符号の説明】
【００６１】
１        歩行型動力運搬車
２        駆動部
３        走行部
４        除雪機構
５        本体フレーム
６        運転操作部
１０      荷台部
１１      前面板
１２      前部ガイド板
１８      床板部
１８ａ    床面
１９      後面板
２０      側板
２１      ガイド部材
２２      ノブボルト（固定部材）
２３      サブガイド板
２９      荷台ロック金具
３０      荷台ロックピン
３１      ダンプワイヤー
３２      前面板開放ワイヤー
３３      手動ダンプレバー
３４      ダンプ解除レバー
３６      荷台ダンプ保持レバー
３６ａ    カム部
３６ｂ    凹部
３６ｃ    凹部
３７      高さ調節板
３７ａ    溝部
３８      ダンプ保持固定ピン
３９      フットペダル
４１      前面板開閉リンク
４１ｃ    支持軸
４２      前面板開閉ロッド
４２ｂ    凸部
４４      前面板収納ロッド
４５      前面板収納アームリンク
４６      前面板収納アーム
【図１】
2014227665.tif 000003
【図２】
2014227665.tif 000004
【図３】
2014227665.tif 000005
【図４】
2014227665.tif 000006
【図５】
2014227665.tif 000007
【図６】
2014227665.tif 000008
【図７】
2014227665.tif 000009
【図８】
2014227665.tif 000010
【図９】
2014227665.tif 000011
【図１０】
2014227665.tif 000012
【図１１】
2014227665.tif 000013
【図１２】
2014227665.tif 000014
【図１３】
2014227665.tif 000015
【図１４】
2014227665.tif 000016
【図１５】
2014227665.tif 000017
【図１６】
2014227665.tif 000018
【図１７】
2014227665.tif 000019
【図１８】
2014227665.tif 000020
【図１９】
2014227665.tif 000021
【図２０】
2014227665.tif 000022
【図２１】
2014227665.tif 000023
【図２２】
2014227665.tif 000024
【図２３】
2014227665.tif 000025
【図２４】
2014227665.tif 000026
【手続補正書】
【提出日】平成26年9月22日(2014.9.22)
【手続補正１】
【補正対象書類名】特許請求の範囲
【補正対象項目名】全文
【補正方法】変更
【補正の内容】
【特許請求の範囲】
【請求項１】
前方側へ傾動可能な荷台部と、前記荷台部の前部に回転開閉可能に下端側が支持される前面板と、前記荷台部を水平状態で保持する水平状態保持手段と、前記前面板を前記荷台部側へ閉じた収納状態で保持する収納状態保持手段と、前記荷台部の水平状態の解除及び前記前面板の収納状態の解除を行う解除手段と、前記荷台部を前方側へ傾動させたダンプ状態で保持するダンプ状態保持手段と、前記前面板を前記収納状態から前方に所定の角度開放させた位置で保持する開放角度保持手段と、前記解除手段により前記収納状態が解除された前記前面板の開閉動作を行う前面板動作手段と、を備える歩行型動力運搬車であって、
前記荷台部の床面上で回転可能且つスライド可能に設けられるガイド部材と、
前記ガイド部材を前記荷台部の床面上に固定する固定部材と、
前記ガイド部材を前記荷台部の床面上で回転及びスライドさせた際に、前記ガイド部材と前記荷台部の後部に立設される後面板との間に生じる隙間を閉鎖するサブガイド板と、を備えること特徴とする歩行型動力運搬車。
【請求項２】
前記前面板は、前記ダンプ状態保持手段によって前記荷台部がダンプ状態で保持された状態で、前記解除手段によって前記収納状態が解除されることにより、自重で前方へ開放されることを特徴とする請求項１に記載の歩行型動力運搬車。
【請求項３】
前記前面板は、前記収納状態において、前記荷台部の床面に垂直な方向に対して所定の角度前方側に傾斜した状態で設けられ、
前記前面板の幅方向の両側には、前記収納状態において、前記前面板と、前記荷台部の幅方向の両側にそれぞれ設けられる側板との間に生じる隙間を閉鎖する前部ガイド板がそれぞれ取り外し可能に設けられ、
前記荷台部の幅方向の両側には、外側に開閉可能な側板が設けられていること特徴とする請求項１又は２に記載の歩行型動力運搬車。
【請求項４】
前記サブガイド板は、前記ガイド部材内に収納可能であることを特徴とする請求項１乃至３のいずれかに記載の歩行型動力運搬車。
【請求項５】
前記開放角度保持手段は、前記前面板の内面と前記荷台部の床面とが略面一の状態となる位置で前記前面板を保持することを特徴とする請求項１乃至４のいずれかに記載の歩行型動力運搬車。
【請求項６】
前記荷台部が前記ダンプ状態保持手段によりダンプ状態で保持された状態において、前記開放角度保持手段により前記所定の角度開放された位置で保持されている前記前面板の先端の高さを調節する高さ調節手段を備えることを特徴とする請求項１乃至５のいずれかに記載の歩行型動力運搬車。
【手続補正２】
【補正対象書類名】明細書
【補正対象項目名】０００９
【補正方法】変更
【補正の内容】
【０００９】
上記目的を達成するために、請求項１に記載の歩行型動力運搬車は、前方側へ傾動可能な荷台部と、前記荷台部の前部に回転開閉可能に下端側が支持される前面板と、前記荷台部を水平状態で保持する水平状態保持手段と、前記前面板を前記荷台部側へ閉じた収納状態で保持する収納状態保持手段と、前記荷台部の水平状態の解除及び前記前面板の収納状態の解除を行う解除手段と、前記荷台部を前方側へ傾動させたダンプ状態で保持するダンプ状態保持手段と、前記前面板を前記収納状態から前方に所定の角度開放させた位置で保持する開放角度保持手段と、前記解除手段により前記収納状態が解除された前記前面板の開閉動作を行う前面板動作手段と、を備える歩行型動力運搬車であって、前記荷台部の床面上で回転可能且つスライド可能に設けられるガイド部材と、前記ガイド部材を前記荷台部の床面上に固定する固定部材と、前記ガイド部材を前記荷台部の床面上で回転及びスライドさせた際に、前記ガイド部材と前記荷台部の後部に立設される後面板との間に生じる隙間を閉鎖するサブガイド板と、を備えること特徴としている。
【手続補正３】
【補正対象書類名】明細書
【補正対象項目名】００１１
【補正方法】変更
【補正の内容】
【００１１】
請求項３に記載の歩行型動力運搬車は、前記前面板は、前記収納状態において、前記荷台部の床面に垂直な方向に対して所定の角度前方側に傾斜した状態で設けられ、前記前面板の幅方向の両側には、前記収納状態において、前記前面板と、前記荷台部の幅方向の両側にそれぞれ設けられる側板との間に生じる隙間を閉鎖する前部ガイド板がそれぞれ取り外し可能に設けられ、前記荷台部の幅方向の両側には、外側に開閉可能な側板が設けられていること特徴としている。